(57)【要約】【課題】  ノイズを強調する事なく撮像人物の輪郭を強調できるテレビドアホン装置を提供する。【解決手段】  玄関子機１に輪郭強調回路部１７を組み込み、輪郭強調回路部１７をカメラ１６が出力する映像信号から輝度信号を抽出するＹ分離ＢＥＦ回路４１、色信号を抽出するＣ分離ＢＰＦ回路４２、輝度信号から低輝度信号を削除した後２次微分する２次微分回路４５、２次微分回路４５の出力に低輝度信号を加えるＹ加算回路４６、分離した色信号とＹ加算回路４６の出力を一体化するＹＣ多重回路４３により構成した。【選択図】  図２
2015192312.tif 000002
【特許請求の範囲】
【請求項１】
居住者を呼び出して通話する機能及び来訪者を撮像するカメラを備えた玄関子機と、前記呼び出しに応答する機能及び撮像された映像を表示するディスプレイを備えた居室親機とを有するテレビドアホン装置において、
前記玄関子機或いは前記居室親機の何れかに、前記カメラが出力する映像信号から輝度信号を抽出する輝度信号抽出回路と、
抽出された前記輝度信号から低輝度信号を削除する低輝度クリッパ回路と、
前記低輝度クリッパ回路を通過した輝度信号に対して輪郭強調を実施する輪郭強調回路とを有し、
前記輪郭強調回路の出力信号を基に前記ディスプレイに映像を表示することを特徴とするテレビドアホン装置。
【請求項２】
抽出された前記輝度信号から低輝度信号を抽出する低輝度信号抽出回路と、
抽出された低輝度信号と前記輪郭強調回路の出力信号とを加算する第１加算回路とを有し、
前記第１加算回路の出力する映像信号が前記ディスプレイに表示されることを特徴とする請求項１記載のテレビドアホン装置。
【請求項３】
前記カメラが出力するアナログ映像信号から色信号を分離する色信号分離回路と、
前記第１加算回路の出力信号に前記色信号分離回路の出力信号を加算する第２加算回路を有し、
前記第２加算回路の出力信号を基に前記ディスプレイに映像を表示することを特徴とする請求項２記載のテレビドアホン装置。
【発明の詳細な説明】
【技術分野】
【０００１】
本発明は、来訪者を撮像するカメラを備えて居住者が来訪者と通話する際に映像で来訪者を確認できるテレビドアホン装置に関する。
【背景技術】
【０００２】
従来より来訪者を撮像するカメラを備えて、居住者が応答する際に映像で来訪者を確認できるテレビドアホン装置がある。居室親機に映像を表示するディスプレイを備えたこのようなテレビドアホンにおいて、表示映像に鮮鋭感を持たせて人物を確認し易くするための輪郭強調回路を備え、居室親機においてボタン操作等で輪郭を強調操作したり、映像を拡大表示した際に輪郭を強調するよう制御するテレビドアホン装置が提案されている（例えば、特許文献１参照）。
【先行技術文献】
【特許文献】
【０００３】
【特許文献１】特開２０１２−２３５５０２号公報
【発明の概要】
【発明が解決しようとする課題】
【０００４】
しかしながら、上記輪郭強調機能を備えたものは、ノイズも合わせて強調してしまうため、特にノイズを多く含む低照度環境下でのカメラの撮像映像に対して輪郭強調した場合、人物が更に確認し辛くなる場合があった。
【０００５】
そこで、本発明はこのような問題点に鑑み、ノイズを強調する事なく人物等の撮像物体の輪郭を強調できるテレビドアホン装置を提供する事を目的としている。
【課題を解決するための手段】
【０００６】
上記課題を解決する為に、請求項１の発明は、居住者を呼び出して通話する機能及び来訪者を撮像するカメラを備えた玄関子機と、呼び出しに応答する機能及び撮像された映像を表示するディスプレイを備えた居室親機とを有するテレビドアホン装置において、玄関子機或いは居室親機の何れかに、カメラが出力する映像信号から輝度信号を抽出する輝度信号抽出回路と、抽出された輝度信号から低輝度信号を削除する低輝度クリッパ回路と、低輝度クリッパ回路を通過した輝度信号に対して輪郭強調を実施する輪郭強調回路とを有し、輪郭強調回路の出力信号を基にディスプレイに映像を表示することを特徴とする。
この構成によれば、明るい映像信号の輪郭は強調されるがノイズを多く含む暗い映像信号は輪郭が強調されない。よって、ノイズの強調は少なくノイズの少ない鮮鋭な映像をディスプレイに表示でき、表示映像から人物を判別し易い。
【０００７】
請求項２の発明は、請求項１に記載の構成において、抽出された輝度信号から低輝度信号を抽出する低輝度信号抽出回路と、抽出された低輝度信号と輪郭強調回路の出力信号とを加算する第１加算回路とを有し、第１加算回路の出力する映像信号がディスプレイに表示されることを特徴とする。
この構成によれば、低輝度信号は輪郭強調されず輪郭強調された明るい映像と共にディスプレイに表示されるため、見やすい映像が表示される。
【０００８】
請求項３の発明は、請求項２に記載の構成において、カメラが出力するアナログ映像信号から色信号を分離する色信号分離回路と、第１加算回路の出力信号に色信号分離回路の出力信号を加算する第２加算回路を有し、第２加算回路の出力信号を基にディスプレイに映像を表示することを特徴とする。
この構成によれば、色信号は加工されることなくディスプレイに表示されるので、輪郭が強調された状態でも自然な色で表示され、見やすい映像が表示される。
【発明の効果】
【０００９】
本発明によれば、明るい映像信号の輪郭が強調されるがノイズを多く含む暗い映像信号は輪郭が強調されない。よって、ノイズの強調は少なくノイズの少ない鮮鋭な映像をディスプレイに表示でき、表示映像から人物を判別し易い。
【図面の簡単な説明】
【００１０】
【図１】本発明に係るテレビドアホン装置の一例を示す回路ブロック図である。
【図２】輪郭強調・低輝度ノイズ抑圧回路の回路ブロック図である。
【発明を実施するための形態】
【００１１】
以下、本発明を具体化した実施の形態を、図面を参照して詳細に説明する。図１は本発明に係るテレビドアホン装置の一例を示す回路ブロック図であり、１は玄関子機、２は居室親機である。両者は２線からなる伝送線Ｌ１により接続されている。
【００１２】
玄関子機１は、居住者を呼び出すための呼出ボタン１１、呼出信号を発生する呼出制御部１２、通話するためのマイク１３及びスピーカ１４、音声信号を伝送するための２線４線変換部１５、来訪者を撮像するためのカメラ１６、カメラ１６の撮像映像に対して輪郭強調操作を行う輪郭強調回路部１７、映像信号と音声信号の多重／分離を行う多重回路部１８等を備えている。
【００１３】
居室親機２は、呼び出しに応答するための通話ボタン２１、通話するためのマイク２２及びスピーカ２３、音声信号を伝送するための２線４線変換部２４、映像を表示するディスプレイ２５、表示映像を制御する映像信号処理部２６、居室親機２の各部を制御する親機ＣＰＵ２７、商用電力に接続されて直流電圧を生成する電源部２８、玄関子機１に電源を供給するための子機電源給電部２９、映像信号と音声信号の多重／分離を行う多重回路部３０等を備えている。
【００１４】
図２は輪郭強調回路部１７の回路ブロック図を示している。輪郭強調回路部１７は、図２に示すようにカメラ１６内のカメラＤＳＰ１６ａから出力されるアナログ映像信号が入力され、輝度信号を抽出するＹ分離ＢＥＦ回路（ band elimination filter ）４１、及び色信号を分離するＣ分離ＢＰＦ回路（Band  pass filter）４２を有して両信号は分離され、輝度信号のみ加工されて最後にＹＣ多重回路４３で両信号が統合されて出力される。
【００１５】
具体的に、Ｙ分離ＢＥＦ回路４１とＹＣ多重回路４３の間に、低輝度クリッパ回路４４、２次微分回路４５、Ｙ加算回路４６が配置され、並行してＹ分離ＢＥＦ回路４１とＹ加算回路４６の間にはＬＰＦ（low pass filter）回路４７が配置されている。
この結果、Ｙ分離ＢＥＦ回路４１で抽出された映像信号のうちの輝度信号は、低輝度クリッパ回路４４により低輝度の信号が削除される一方、ＬＰＦ回路４７によりノイズ成分（高周波信号）が削除される。
低輝度クリッパ回路４４を通過した輝度信号は、２次微分回路４５を通過後、Ｙ加算回路４６においてＬＰＦ回路４７を通過した信号と統合されてＹＣ多重回路４３に出力される。
【００１６】
このとき２次微分回路４５では、入力信号を２次微分して出力する。即ち、低輝度部分が削除された輝度信号が２次微分され、輝度の変化が大きい撮像された物体の境界部が強調され、人物等の輪郭が強調される。この２次微分回路が輪郭強調回路として機能している。
【００１７】
上記の如く構成されたテレビドアホン装置の動作は以下の様である。来訪者が玄関子機１の呼出ボタン１１を押下すると、呼出制御部１２から呼出信号が出力されて伝送線Ｌ１を介して居室親機２に伝送される。呼出信号が伝送された居室親機２では、親機ＣＰＵ２７の制御によりスピーカ２３から呼出音が鳴動して呼出状態となる。同時に、カメラ１６が起動して撮像映像の送信が開始され、輪郭強調回路部１７を経て居室親機２に伝送されてディスプレイ２５に表示される。
【００１８】
呼出音の鳴動を認識した居住者は、居室親機２に表示された映像により応答前に来訪者を確認できる。このときディスプレイ２５に表示される映像は輪郭が強調された状態で表示される。
そして、居住者により通話ボタン２１が操作されると、玄関子機１と居室親機２とが通話状態に入り、居住者は来訪者を映像で確認しつつ通話できる。
【００１９】
このように、明るい映像信号の輪郭が強調されるがノイズを多く含む暗い映像信号は輪郭が強調されない。よって、ノイズの強調は少なくノイズの少ない鮮鋭な映像をディスプレイ２５に表示でき、表示映像から人物を判別し易い。
そして、低輝度信号は輪郭強調されず輪郭強調された明るい映像と共にディスプレイ２５に表示されるため、見やすい映像が表示される。
また、色信号は加工されることなくディスプレイ２５に表示されるので、輪郭が強調された状態でも自然な色で表示され、見やすい映像が表示される。
【００２０】
尚、上記実施形態では輪郭強調回路部１７を玄関子機１に設けたが、居室親機２に設けても良い。
【符号の説明】
【００２１】
１・・玄関子機、２・・居室親機、１６・・カメラ、１７・・輪郭強調回路部、２５・・ディスプレイ、４１・・Ｙ分離ＢＥＦ回路（輝度信号抽出回路）、４２・・Ｃ分離ＢＰＦ回路（色信号分離回路）、４３・・ＹＣ多重回路（第２加算回路）４４・・低輝度クリッパ回路、４５・・２次微分回路（輪郭強調回路）、４６・・Ｙ加算回路（第１加算回路）、４７・・ＬＰＦ回路（低輝度信号抽出回路）。
【図１】
2015192312.tif 000003
【図２】
2015192312.tif 000004